(57)【要約】【課題】液状あるいはゲル状の内容物を収納することができ、外面フィルムを剥がすことによって液状あるいはゲル状の内容物の有効成分を外部に放出することができる包装袋を提供する。【解決手段】芳香剤、防虫忌避剤などの内容物７を収納する収納袋１であって、外面を構成するフィルム４をガスバリア性を備えるように構成し、この外面フィルム４の内側に重なる内面フィルム５は芳香剤などの有効成分を通気させる性質を持つ非保香性フィルムの材料で構成され、収納袋１の少なくとも一方の面において外面フィルム４と内面フィルム５とは剥離強度０．０１Ｎ／１５ｍｍ〜１０Ｎ／１５ｍｍで接合されているので、液状あるいはゲル状の内容物７を収納することができ、外面フィルム４を剥がすことによって液状あるいはゲル状の内容物７の有効成分を外部に放出することができるようにした。【選択図】図４
2012086871.tif 000002
【特許請求の範囲】
【請求項１】
芳香剤、防虫忌避剤などの内容物を収納する収納袋であって、
外面を構成するフィルムをガスバリア性を備えるように構成し、この外面フィルムの内側に重なる内面フィルムは芳香剤などの有効成分を通気させる性質を持つ非保香性フィルムの材料で構成され、収納袋の少なくとも一方の面において外面フィルムと内面フィルムとは剥離強度０．０１Ｎ／１５ｍｍ〜１０Ｎ／１５ｍｍで接合されていることを特徴とする収納袋。
【請求項２】
収納袋の周辺部の少なくとも１箇所以上に摘み片としての未シール部分を設け、外面フィルムを内面フィルムから剥離するように構成したことを特徴とする請求項１記載の収納袋。
【発明の詳細な説明】
【技術分野】
【０００１】
本発明は収納袋に関し、より詳細には液状またはゲル状の芳香剤、脱臭剤、殺虫剤などを収納する収納袋に関する。
【背景技術】
【０００２】
従来において、外面フィルムとしてガスバリア性を有するフィルムを用い、内面フィルムとして有孔フィルムあるいは不織布を用い、あるいは内面フィルムとして有孔フィルムと不織布との双方をラミネートしたものを用い、外面フィルムと内面フィルムとをラミネートした材料で構成した収納袋が特許文献１に記載されている。この特許文献１に記載の収納袋は、ガスバリア性を有する外面フィルムが剥がされ、有孔フィルムあるいは不織布が露出した状態で用いられるのであって、収納袋の内部に収納された防虫剤、芳香剤などの有効成分は、有孔フィルムあるいは不織布を通して外部に放出されるものである。
【先行技術文献】
【特許文献】
【０００３】
【特許文献１】特開平９−８６５６８号公報
【発明の概要】
【発明が解決しようとする課題】
【０００４】
上記した特許文献１に記載の収納袋では内面フィルムを有孔フィルムあるいは不織布としているので、収納袋に収納する内容物はマットなどの固体あるいは粉体などに限定され、液状あるいはゲル状のものを内容物として収納することができない。
【０００５】
本発明の目的は、このような課題を解決するもので、液状あるいはゲル状のものであっても内容物として収納することができ、外面フィルムを剥がすことによって液状あるいはゲル状の内容物の有効成分を外部に放出することができる収納袋を提供することである。
【課題を解決するための手段】
【０００６】
本発明の請求項１に記載の収納袋は、芳香剤、防虫忌避剤などの内容物を収納する収納袋であって、外面を構成するフィルムをガスバリア性を備えるように構成し、この外面フィルムの内側に重なる内面フィルムは芳香剤などの有効成分を通気させる性質を持つ非保香性フィルムの材料で構成され、収納袋の少なくとも一方の面において外面フィルムと内面フィルムとは剥離強度０．０１Ｎ／１５ｍｍ〜１０Ｎ／１５ｍｍで接合されている。
【０００７】
請求項２に記載の収納袋は、収納袋の周辺部の少なくとも１箇所以上に摘み片としての未シール部分を設け、外面フィルムを内面フィルムから剥離するように構成している。
【発明の効果】
【０００８】
以上のように本発明によれば、外面フィルムの内側に位置する内面ファイルは芳香剤などの有効成分を通気させる性質を持つ非保香性フィルムの材料で構成されているので、内容物が液状あるいはゲル状のものであっても内容物として収納することができ、外面フィルムを剥がすことによって液状あるいはゲル状の内容物の有効成分を外部に放出することができる。
【図面の簡単な説明】
【０００９】
【図１】収納袋の外観図である。
【図２】収納袋のＡ−Ａ断面図である。
【図３】摘み片の要部拡大断面図である。
【図４】摘み片を摘んで外面フィルムが剥離し始めた状態の要部拡大断面図である。
【図５】外面フィルムが途中まで剥離した状態の収納袋の外観図である。
【発明を実施するための形態】
【００１０】
以下、本発明の一実施の形態について図１〜図５に基づいて説明する。収納袋１は、一方の面を構成する表面シート２と、他方の面を構成する裏面シート３とを備え、表面シート２と裏面シート３との周縁部６がヒートシールされて平面形状が長方形などの矩形に作られている。収納袋１の内部には芳香剤などの液状内容物７が収納される。表面シート２と裏面シート３とは同一のフィルム構成となっており、ともに外面フィルム４と内面フィルム５とを備えている。
【００１１】
詳しくは、外面フィルム４は外面側から内面側に向かって順番に、透明蒸着２軸延伸ポリエステルで形成された最外層のフィルム層８と、２軸延伸ナイロンフィルムで形成された中間層のフィルム層９と、エチレンビニルアルコール共重合体で形成された最内層のフィルム層１０とを備えており、各フィルム層は接着剤層で接合されている。内面フィルム５は芳香剤などの液状内容物７の有効成分を通気させる性質を持つ非保香性のポリエチレンのフィルム層で構成されており、外面フィルム４と内面フィルム５とは接着性樹脂で易剥離可能に接合されている。実際の製造工程では、外面フィルム４のエチレンビニルアルコール共重合体からなる最内層のフィルム層１０とポリエチレンの内面フィルム５は共押し出しにより形成されている。この外面フィルム４と内面フィルム５との剥離強度は０．０１Ｎ／１５ｍｍ〜１０Ｎ／１５ｍｍが好ましい。
【００１２】
表面シート２の内面フィルム５と裏面シート３の内面フィルム５とが収納袋１の外形に沿って一定の幅でヒートシールされており、３つのコーナー部１１ａ，１１ｂ，１１ｃにおいては各コーナー部１１ａ，１１ｂ，１１ｃに沿った一定の幅で直角にヒートシールされている。残りの１つのコーナー部１１ｄにおいては、コーナー部１１ｄを形成する直角に交わる２つの辺１２，１２と斜辺１３とで形成される三角形部分の表面シート２の内面フィルム５と裏面シート３の内面フィルム５とはヒートシールされていない。このヒートシールされていない三角形部分のうち表面シート２側の三角形部分が摘み片１４とされる。このコーナー部１１ｄにおいては、摘み片１４に隣接した状態で斜辺１３に沿ってヒートシールされる。このように摘み片１４を残した状態で表面シート２と裏面シート３との周縁部６がヒートシールされて収納袋１が形成される。
【００１３】
なお、外面フィルム４と内面フィルム５との剥離強度は、前述のように０．０１Ｎ／１５ｍｍ〜１０Ｎ／１５ｍｍとされるので、小さい力で容易に内面フィルム５から外面フィルム４を剥がすことができる。剥離強度を０．０１Ｎ／１５ｍｍ未満とした場合には外面フィルム４が不用意に剥がれることがあり、また剥離強度を１０Ｎ／１５ｍｍよりも高くした場合には外面フィルム４を剥がすために大きな力が必要となり適当でない。
【００１４】
図４に示すように使用者が表面シート２側の摘み片１４を摘んで剥がしていくと、摘み片１４を構成する内面フィルム５が斜辺１３において破断するとともに、斜辺１３を起点として、エチレンビニルアルコール共重合体の最内層のフィルム層１０と、内面フィルム５のポリエチレンのフィルム層との間が剥離する。このとき表面シート２の内面フィルム５と裏面シート３の内面フィルム５とのヒートシールは保持されている。
【００１５】
そして、摘み片１４をさらに引っ張ると、周縁のヒートシールが保持された状態で、エチレンビニルアルコール共重合体の最内層のフィルム層１０を含んだ外面フィルム４が、ポリエチレンの内面フィルム５から剥がれていく。
【００１６】
図５に示すように摘み片１４を摘んでさらに剥がしていくと、周縁のヒートシールが保持された状態で、表面シート２側の外面フィルム４が剥ぎ取られていく。外面フィルム４が剥ぎ取られた部分は、内面フィルム５が露出した状態となる。内面フィルム５は芳香剤などの有効成分を通気させる性質を持つ非保香性のフィルムであるので、芳香剤などの有効成分を外部に放出することができる。このとき芳香剤などの有効成分は内面フィルム５から滲み出るように放出されるので、内容物７が液状であっても収納袋１の外部に漏れ出すことはない。
【００１７】
芳香剤の有効成分は、内面フィルム５を介して外部に放出されるので、外面フィルム４を剥ぎ取った収納袋１を室内などに設置して簡便に芳香剤として用いることができる。また外面フィルム４を完全に剥ぎ取らず、外面フィルム４の剥がし代を調整して外部に露出する内面フィルム５の面を制限することができ、放出される芳香剤の有効成分の強さを細かく調整することができる。収納袋１の内容物７は芳香剤に限定されるものではなく、蚊などを退治するための殺虫剤、あるいはタンスに衣類とともに収納して衣類に虫が付くことを防止する防虫忌避剤や脱臭剤などであってもよい。また、芳香剤などの内容物７が液状の場合について説明したが、これに限定されるものではなく内容物７がゲル状のものでもよい。
【００１８】
また、本実施の形態においては表面シート２の外面フィルム３のみを剥がすようにしているが、これに限定されるものではなく、表面シート２と裏面シート３との外面フィルム３を剥がすようにしても良い。この場合には、たとえば収納袋１を吊り下げて、収納袋１の両面から芳香剤などの有効成分を放出させるようにすることができる。
【００１９】
なお、本実施の形態では、外面フィルム４が３層のフィルム層により構成されているが、これに限定されるものではなく、たとえば外面フィルム４が１層または２層のフィルム層により構成されるものでも良い。
【００２０】
また、本実施の形態では外面フィルム４のうち最外層のフィルム層８である透明蒸着２軸延伸ポリエステルがガスバリア性を備えているが、ガスバリア性を備えるフィルム層は最外層のフィルム層８に限定されるものではなく、中間層あるいは最内層のフィルム層９，１０であっても良い。また、ガスバリア性を有するものは透明蒸着に限定するものではなく、アルミ箔など他の材質を用いても良い。
【００２１】
このように、芳香剤、防虫忌避剤などの内容物７を収納する収納袋１であって、外面フィルム４をガスバリア性を備えるように構成し、この外面フィルム４の内側に重なる内面フィルム５は芳香剤などの有効成分を通気させる性質を持つ非保香性の材料で構成され、収納袋１の少なくとも一方の面において外面フィルム４と内面フィルム５とは剥離強度０．０１Ｎ／１５ｍｍ〜１０Ｎ／１５ｍｍで接合されているので、内容物７が液状あるいはゲル状のものであっても収納することができ、外面フィルム４を剥がすことによって液状あるいはゲル状の内容物７の有効成分を外部に放出することができる。
【００２２】
さらに、収納袋１の１つのコーナー部において、内容物７を収納する内面フィルム５同士がヒートシールされていない未接着な状態であり、その部分を摘み片１４として外面フィルム４を内面フィルム５から剥離するように構成しているので、摘み片１４を摘んで容易に外面フィルム４を内面フィルム５から剥離することができる。なお、摘み片１４の位置は収納袋１の１つのコーナー部に限定されるものではなく、収納袋１の周辺部の少なくとも１箇所以上にあれば良い。
【産業上の利用可能性】
【００２３】
本発明は、収納袋の技術に関し、より詳細には液状またはゲル状の芳香剤、脱臭剤、殺虫剤などを収納する収納袋に関する。
【符号の説明】
【００２４】
１    収納袋
２    表面シート
３    裏面シート
４    外面フィルム
５    内面フィルム
６    周縁部
７    内容物
８    最外層のフィルム層
９    中間層のフィルム層
１０    最内層のフィルム層
１１ａ，１１ｂ，１１ｃ，１１ｄ    コーナー部
１２    辺
１３    斜辺
１４    摘み片
【図１】
2012086871.tif 000003
【図２】
2012086871.tif 000004
【図３】
2012086871.tif 000005
【図４】
2012086871.tif 000006
【図５】
2012086871.tif 000007